(57)【要約】【課題】撮影装置において、シャッタチャンスを逃すことなく画素欠陥の位置を検出できるようにする【解決手段】撮影動作以外の所定の動作を行っている最中に、画素欠陥検出用画像を少なくとも１回取得するよう撮像系６をＣＰＵ４０が制御する。所定の動作としては、例えば、バッテリ３８の電源の充電、フラッシュ２４の充電、撮影により取得した画像の再生、電源オフ、撮影レンズ１０の繰り出しまたは収納、および撮影により取得した画像の外部装置への転送のうちの少なくとも１つの動作が挙げられる。【選択図】図１
2008166913.tif 000002
【特許請求の範囲】
【請求項１】
撮像素子を有し、撮影による画像を取得する撮影手段と、
撮影動作以外の所定の動作を行っている最中に、前記画素欠陥の検出を行うための画素欠陥検出用画像を少なくとも１回取得するよう前記撮影手段を制御する制御手段と、
前記画素欠陥検出用画像に基づいて前記撮像素子の画素欠陥の位置を検出する検出手段とを備えたことを特徴とする撮影装置。
【請求項２】
前記所定の動作は、前記撮影装置を駆動するための電源の充電、フラッシュの充電、撮影により取得した画像の再生、電源オフ、沈胴式のレンズを備えた場合の該レンズの繰り出しまたは収納、および撮影により取得した画像の外部装置への転送のうちの少なくとも１つの動作であることを特徴とする請求項１記載の撮影装置。
【請求項３】
前記制御手段は、前記所定の動作が終了するまでに前記画素欠陥検出用画像の取得および前記画素欠陥の位置の検出が完了しない場合は、該画素欠陥検出用画像の取得および前記画素欠陥の位置の検出の動作を停止する手段であることを特徴とする請求項１または２記載の撮影装置。
【請求項４】
撮像素子を有し、撮影による画像を取得する撮影手段を備えた撮影装置における撮影方法において、
撮影動作以外の所定の動作を行っている最中に、前記画素欠陥の検出を行うための画素欠陥検出用画像を少なくとも１回取得するよう前記撮影手段を制御し、
前記画素欠陥検出用画像に基づいて前記撮像素子の画素欠陥の位置を検出することを特徴とする撮影方法。
【請求項５】
撮像素子を有し、撮影による画像を取得する撮影手段を備えた撮影装置における撮影方法をコンピュータに実行させるためのプログラムにおいて、
撮影動作以外の所定の動作を行っている最中に、前記画素欠陥の検出を行うための画素欠陥検出用画像を少なくとも１回取得するよう前記撮影手段を制御する手順と、
前記画素欠陥検出用画像に基づいて前記撮像素子の画素欠陥の位置を検出する手順とを有することを特徴とするプログラム。
【発明の詳細な説明】
【技術分野】
【０００１】
本発明は撮影により画像を取得する撮影装置および方法並びに撮影方法をコンピュータに実行させるためのプログラムに関するものである。
【背景技術】
【０００２】
デジタルカメラ、ビデオカメラ等の撮影装置に備えられたＣＣＤ等の撮像素子には、ゴミや埃の付着、および結晶欠陥等による画素欠陥が存在することがあり、画素欠陥があると画像にかかわらず白として信号を出力する白キズ、あるいは画像にかかわらず黒として信号を出力する黒キズという形で現れてくる。このような画素欠陥による画質の劣化を防止するためには、前もって画素欠陥検出用画像を取得し、基準となる画像と画素欠陥検出用画像とを比較して画素欠陥の位置を検出し、欠陥画素のデータを隣接する画素のデータを用いて補間演算処理することが行われている（特許文献１参照）。
【０００３】
また、画素欠陥の経時変化に対応するために、所定時間間隔で画素欠陥の位置を検出し、検出結果を記憶しておく手法も提案されている（特許文献２参照）。
【特許文献１】特開平１０−３２２６０３号公報
【特許文献２】特開２００４−３０４８３３号公報
【発明の開示】
【発明が解決しようとする課題】
【０００４】
しかしながら、上記特許文献１に記載された手法では、電源がオンとされる毎に画素欠陥の位置を検出するため、電源をオンとした後に直ちに撮影を行うことができず、シャッタチャンスを逃してしまうおそれがある。また、特許文献２に記載された手法では、所定時間間隔にて画素欠陥の位置を検出するため、画素欠陥の位置を検出するための画像の撮影中は撮影を行うことができず、その結果、特許文献１に記載された手法と同様にシャッタチャンスを逃してしまうおそれがある。また、撮影装置のユーザに対して、画素欠陥の位置検出用の画像を撮影させることにより取得させることも可能であるが、ユーザの負担が大きいものとなる。
【０００５】
本発明は上記事情に鑑みなされたものであり、シャッタチャンスを逃すことなく画素欠陥の位置を検出できるようにすることを目的とする。
【課題を解決するための手段】
【０００６】
本発明による撮影装置は、撮像素子を有し、撮影による画像を取得する撮影手段と、
撮影動作以外の所定の動作を行っている最中に、前記画素欠陥の検出を行うための画素欠陥検出用画像を少なくとも１回取得するよう前記撮影手段を制御する制御手段と、
前記画素欠陥検出用画像に基づいて前記撮像素子の画素欠陥の位置を検出する検出手段とを備えたことを特徴とするものである。
【０００７】
なお、本発明による撮影装置においては、前記所定の動作は、前記撮影装置を駆動するための電源の充電、フラッシュの充電、撮影により取得した画像の再生、電源オフ、沈胴式のレンズを備えた場合の該レンズの繰り出しまたは収納、および撮影により取得した画像の外部装置への転送のうちの少なくとも１つの動作であることが好ましい。なお、撮影により取得した画像としては、静止画像のみならず動画像をも含むものである。
【０００８】
また、本発明による撮影装置においては、前記制御手段を、前記所定の動作が終了するまでに前記画素欠陥検出用画像の取得および前記画素欠陥の位置の検出が完了しない場合は、該画素欠陥検出用画像の取得および前記画素欠陥の位置の検出の動作を停止するとしてもよい。
【０００９】
本発明による撮影方法は、撮像素子を有し、撮影による画像を取得する撮影手段を備えた撮影装置における撮影方法において、
撮影動作以外の所定の動作を行っている最中に、前記画素欠陥の検出を行うための画素欠陥検出用画像を少なくとも１回取得するよう前記撮影手段を制御し、
前記画素欠陥検出用画像に基づいて前記撮像素子の画素欠陥の位置を検出することを特徴とするものである。
【００１０】
なお、本発明による撮影方法をコンピュータに実行させるためのプログラムとして提供してもよい。
【発明の効果】
【００１１】
本発明によれば、撮影動作以外の所定の動作を行っている最中に、画素欠陥検出用画像を取得するようにしたため、撮影を行おうとしているときには、画素欠陥検出用画像の取得の処理は行われないこととなる。このため、画素欠陥検出用画像の取得のために撮影動作が邪魔されることがなくなり、その結果、シャッタチャンスを逃すことなく撮影を行うことができる。また、ユーザは自ら画素欠陥検出用画像を撮影する必要がなくなるため、ユーザの負担を低減することができる。
【００１２】
また、撮影装置を駆動するための電源の充電中および撮影により取得した画像の外部装置への転送中は、撮影装置の温度が上昇する。このため、撮影装置を駆動するための電源の充電中および撮影により取得した画像の外部装置への転送中に画素欠陥検出用画像を取得することにより、温度上昇により出現する画素欠陥の位置を検出することができる。
【００１３】
また、所定の動作が終了するまでに画素欠陥検出用画像の取得および画素欠陥の位置の検出が完了しない場合は、画素欠陥検出用画像の取得および画素欠陥の位置の検出の動作を停止することにより、直ちに撮影を行うことが可能となるため、ユーザがシャッタチャンスを逃すことを防止することができる。
【発明を実施するための最良の形態】
【００１４】
以下、図面を参照して本発明の実施形態について説明する。図１は本発明の実施形態によるデジタルカメラ１の構成を示す概略ブロック図である。図１に示すように本実施形態によるデジタルカメラ１は、動作モードスイッチ、上下左右ボタン、レリーズボタンおよび電源スイッチ４等の操作系２と、操作系２の操作内容をＣＰＵ４０に伝えるためのインターフェース部分である操作系制御部３とを有している。
【００１５】
撮像系６としては、撮影レンズ１０を構成するフォーカスレンズ１０ａおよびズームレンズ１０ｂを有している。各々のレンズは、モータとモータドライバとからなるフォーカスレンズ駆動部１１およびズームレンズ駆動部１２によって光軸方向に移動可能である。フォーカスレンズ駆動部１１はＡＦ処理部３０から出力されるフォーカス駆動量データに基づいて、ズームレンズ駆動部１２はズームレバーの操作量データに基づいて、各々のレンズの移動を制御する。
【００１６】
なお、撮影レンズ１０は沈胴式となっている。また、不図示のレンズカバーを備える。そして、電源オフの状態および動作モードが再生モード等の撮影モード以外の状態では、デジタルカメラ１の本体内に収容されており、動作モードが再生モードから撮影モードに切り替えられたり、撮影モードの状態で電源スイッチ４がオンとされると、デジタルカメラ１の本体から繰り出される。また、動作モードが撮影モードから再生モードに切り替えられたり、撮影モードの状態で電源スイッチ４がオフとされると、デジタルカメラ１の本体に収納される。
【００１７】
また、絞り１４は、モータとモータドライバとからなる絞り駆動部１５によって駆動される。この絞り駆動部１５は、ＡＥ／ＡＷＢ処理部３１から出力される絞り値データに基づいて絞り径の調整を行う。
【００１８】
シャッタ１６は、メカニカルシャッタであり、モータとモータドライバとからなるシャッタ駆動部１７によって駆動される。シャッタ駆動部１７は、レリーズボタンの押下により発生する信号と、ＡＥ／ＡＷＢ処理部３１から出力されるシャッタスピードデータとに応じて、シャッタ１６の開閉の制御を行う。
【００１９】
光学系の後方には撮像素子であるＣＣＤ１８を有している。ＣＣＤ１８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ１８は、ＣＣＤ制御部１９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部１９から与えられる電子シャッタ駆動信号によって決定される。また、ＣＣＤ１８はＣＣＤ制御部１９により、あらかじめ定められた大きさのアナログ撮像信号が得られるようにゲインが調整されている。
【００２０】
なお、撮影レンズ１０、絞り１４、シャッタ１６およびＣＣＤ１８が撮像系６を構成する。
【００２１】
ＣＣＤ１８から取り込まれたアナログ撮影信号は、アナログ信号処理部２０に入力される。アナログ信号処理部２０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２２】
タイミングジェネレータ２１は、タイミング信号を発生させるものであり、このタイミング信号をシャッタ駆動部１７、ＣＣＤ制御部１９、アナログ信号処理部２０に供給することにより、レリーズボタンの操作、シャッタ１６の開閉、ＣＣＤ１８の電荷の取込み、およびアナログ信号処理部２０の処理の同期をとっている。
【００２３】
フラッシュ制御部２３は、撮影時にフラッシュ２４を発光させる。また、フラッシュ２４は発光に必要な電力を蓄積するコンデンサを備える。そして、フラッシュ２４を使用する設定がデジタルカメラ１においてなされた状態において、フラッシュ２４の充電が完了してレリーズボタンが押下されると、フラッシュ２４が発光されて撮影が行われる。
【００２４】
画像入力コントローラ２５は、アナログ信号処理部２０から入力されたＣＣＤ−ＲＡＷデータをフレームメモリ２６に書き込む。
【００２５】
フレームメモリ２６は、画像データに対して後述の各種画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００２６】
表示制御部２７は、フレームメモリ２６に格納された画像データをスルー画像としてモニタ２８に表示させたり、再生モード時に記録メディア３５に保存されている画像データをモニタ２８に表示させたりするためのものである。なお、スルー画像は、撮影モードが選択されている間、所定時間間隔でＣＣＤ１８により撮影される。
【００２７】
ＡＦ処理部３０およびＡＥ／ＡＷＢ処理部３１は、プレ画像に基づいて撮影条件を決定する。このプレ画像とは、レリーズボタンが半押しされることによって発生する半押し信号を検出したＣＰＵ４０がＣＣＤ１８にプレ撮影を実行させた結果、フレームメモリ２６に格納された画像データにより表される画像である。
【００２８】
ＡＦ処理部３０は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００２９】
ＡＥ／ＡＷＢ処理部３１は、プレ画像に基づいて被写体輝度を測定し、測定した被写体輝度に基づいて絞り値およびシャッタスピード等を決定し、絞り値データおよびシャッタスピードデータを露出設定値として決定するとともに（ＡＥ処理）、撮影時のホワイトバランスを自動調整する（ＡＷＢ処理）。なお、露出およびホワイトバランスについては、撮影モードがマニュアルモードに設定されている場合には、デジタルカメラ１の撮影者がマニュアル操作により設定可能である。また、露出およびホワイトバランスが自動で設定された場合にも、撮影者が操作系５から指示を行うことにより、露出およびホワイトバランスをマニュアル調整することが可能である。
【００３０】
画像処理部３２は、本画像の画像データに対して、階調補正、シャープネス補正、色補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ１８から取り込まれ、アナログ信号処理部２０、画像入力コントローラ２５経由でフレームメモリ２６に格納された画像データによる画像である。本画像の画素数の上限は、ＣＣＤ１８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００３１】
また、画像処理部３２は、後述するように内部メモリ３６に記憶された画素欠陥の位置情報を用いて、本画像における欠陥画素のデータを、隣接する画素のデータを用いて補間する処理も画質補正処理として行う。
【００３２】
圧縮／伸長処理部３３は、画像処理部３２によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。なお、生成される画像ファイルは静止画像および動画像の双方を含む。また、圧縮／伸長処理部３３は、再生モードの場合には、記録メディア３５から圧縮された画像ファイルを読み出し、伸長処理を行う。伸長後の画像データはモニタ２８に出力され、画像データの画像が表示される。
【００３３】
メディア制御部３４は、記録メディア３５にアクセスして画像ファイルの書き込みと読み込みの制御を行う。
【００３４】
内部メモリ３６は、デジタルカメラ１において設定される各種定数、およびＣＰＵ４０が実行するプログラム等を格納する。また、内部メモリ３６は、後述する画素欠陥の位置情報を記憶する。
【００３５】
外部インターフェース３７は、デジタルカメラ１をＵＳＢケーブル等によりパソコンやプリンタ等の外部装置と接続するためのものである。外部インターフェース３７により、記録メディア３５に記録された画像データが、ケーブルを介して外部装置に転送される。
【００３６】
バッテリ３８は、デジタルカメラ１を構成する各部に電力を供給する。なお、図１においてはＣＰＵにのみ電力を供給する状態を示している。バッテリ３８は、例えば図２に示すようにデジタルカメラ１を電源と接続されたクレードル５０に装填することにより充電される。具体的には、クレードル５０には外部インターフェース３７に挿入される端子５１が設けられており、端子５１から外部インターフェース３７を介してデジタルカメラ１に電力が供給されることにより、バッテリ３８が充電される。
【００３７】
画素欠陥検出部３９は、後述するように取得された画素欠陥検出用画像と基準となる画像とを比較して画素欠陥の位置を検出する。なお、検出した画素欠陥の位置はＣＣＤ１８の受光素子の位置に対応するものである。検出した画素欠陥の位置情報は内部メモリ３６に記憶される。
【００３８】
ＣＰＵ４０は、操作系２およびＡＦ処理部３０等の各種処理部からの信号に応じてデジタルカメラ１の本体各部を制御する。また、撮影動作以外の所定の動作を行っている最中に、画素欠陥の検出を行うための画像（画素欠陥検出用画像）を取得するよう、絞り駆動部１５、シャッタ駆動部１７およびＣＣＤ制御部１９に指示を行う。画素欠陥検出用画像は、絞り１４を閉じて真っ暗な状態でＣＣＤ１８により１画面分撮影を行わせるように取得される。これにより取得される画素欠陥検出用画像は、白キズを検出するための画像となる。
【００３９】
なお、所定の動作を行っている最中に明るく平坦な壁または専用のテストチャートにデジタルカメラ１を向けておくことにより、黒キズを検出するための画素欠陥検出用画像を取得することができる。
【００４０】
データバス４１は、画像入力コントローラ２５、各種処理部、フレームメモリ２６およびＣＰＵ４０等に接続されており、デジタル画像データ等のやり取りを行う。
【００４１】
次いで、第１の実施形態において行われる処理について説明する。図３は第１の実施形態において行われる処理を示すフローチャートである。第１の実施形態は、デジタルカメラ１をクレードル５０に装填してのバッテリ３８の充電時に画素欠陥検出用画像の取得を行うものである。ＣＰＵ４０が充電開始から所定時間を経過したか否かの監視を開始し（ステップＳＴ１）、ステップＳＴ１が肯定されると、撮像系６に撮影を行わせ（ステップＳＴ２）、画素欠陥検出用画像を取得させる（ステップＳＴ３）。
【００４２】
続いて、画素欠陥検出部３９が画素欠陥検出用画像から画素欠陥の位置を検出し（ステップＳＴ４）、検出結果である画素欠陥の位置情報を内部メモリ３６に記憶し（ステップＳＴ５）、ステップＳＴ１にリターンする。なお、上記の処理は、充電が完了し、クレードル５０からデジタルカメラ１が取り外されるまで繰り返し行われる。
【００４３】
このように、第１の実施形態においては、撮影動作以外の動作であるデジタルカメラ１の充電中に、画素欠陥検出用画像を取得するようにしたため、撮影を行おうとしているときには、画素欠陥検出用画像の取得の処理は行われないこととなる。このため、画素欠陥検出用画像の取得のために撮影動作が邪魔されることがなくなり、その結果、シャッタチャンスを逃すことなく撮影を行うことができる。また、ユーザは自ら画素欠陥検出用画像を撮影する必要がなくなるため、ユーザの負担を低減することができる。
【００４４】
ここで、バッテリ３８の充電中は、デジタルカメラ１内の温度が上昇する。このため、所定時間間隔で連続して画素欠陥の位置情報を取得することにより、温度上昇に起因する画素欠陥の位置を検出することができる。
【００４５】
なお、上記第１の実施形態において、所定時間としては任意の時間とすることができるが、例えば所定時間を０とした場合、充電開始直後に画素欠陥検出用画像が取得される。この場合、画素欠陥検出用画像の２回目以降の取得の処理は、あらかじめ定められた所定時間経過後に行われる。
【００４６】
また、上記第１の実施形態においては、バッテリ３８の充電中に、撮影、画素欠陥検出用画像の取得、画素欠陥位置検出および画素欠陥位置情報の記憶の処理を行っているが、デジタルカメラ１を外部装置と接続し、記録メディア３５に記録された画像の外部装置への転送中に、撮影、画素欠陥検出用画像の取得、画素欠陥位置検出および画素欠陥位置情報の記憶の処理を行うようにしてもよい。この場合、図３に示すフローチャートの処理は、転送が完了してケーブルがデジタルカメラ１から取り外されるまで繰り返し行われる。
【００４７】
次いで、本発明の第２の実施形態について説明する。なお、第２の実施形態においては、デジタルカメラ１の構成については第１の実施形態と同一であるため、ここでは詳細な説明は省略する。第２の実施形態においては、フラッシュ２４を使用して撮影を行う場合におけるフラッシュ２４の充電中に、画素欠陥検出用画像の取得等の処理を行うようにした点が第１の実施形態と異なる。
【００４８】
図４は第２の実施形態において行われる処理を示すフローチャートである。ＣＰＵ４０がフラッシュ２４の充電を開始すると、撮像系６に撮影を行わせ（ステップＳＴ１１）、画素欠陥検出用画像を取得させる（ステップＳＴ１２）。
【００４９】
続いて、画素欠陥検出部３９が画素欠陥検出用画像から画素欠陥の位置を検出し（ステップＳＴ１３）、検出結果である画素欠陥の位置情報を内部メモリ３６に記憶し（ステップＳＴ１４）、処理を終了する。なお、上記の処理は、充電が終了し、レリーズボタンが押下されて撮影が行われるまで繰り返し行うようにしてもよい。
【００５０】
図５は第２の実施形態におけるタイミングチャートである。なお、図５においては、連続して撮影を行う場合におけるデジタルカメラ１の主動作および画素欠陥検出用画像の取得動作のタイミングチャートを示している。デジタルカメラ１の主動作において、フラッシュ２４の発光が完了する、すなわち撮影が完了すると、撮影により取得された画像を取り込む処理が行われる。ここで、撮影により取得された画像を取り込む処理とは、撮影を行うことにより取得した画像を記録メディア３５に記録する処理である。
【００５１】
そして、画像を取り込む処理が完了すると、フラッシュ２４の充電が開始されるとともに、図４に示すフローチャートの処理が行われる。すなわち、撮影、画素欠陥検出用画像の取得、画素欠陥位置検出および画素欠陥位置情報の記憶の処理が行われる。そして、フラッシュ２４の充電および図４に示すフローチャートの処理が完了すると、デジタルカメラ１の主動作においては、レリーズボタンが押下されるまで、スルー画像がモニタ２８に表示される。
【００５２】
なお、上記第２の実施形態においては、フラッシュ２４の充電中に、撮影、画素欠陥検出用画像の取得、画素欠陥位置検出および画素欠陥位置情報の記憶の処理を行っているが、デジタルカメラ１のモードを再生モードに設定し、記録メディア３５に記録された静止画像や動画像の再生中に、撮影、画素欠陥検出用画像の取得、画素欠陥位置検出および画素欠陥位置情報の記憶の処理を行ってもよい。また、この場合、再生モードが撮影モード等の他のモードに切り替えられるまで、撮影、画素欠陥検出用画像の取得、画素欠陥位置検出および画素欠陥位置情報の記憶の処理を繰り返し行うようにしてもよい。
【００５３】
この場合、撮影者は撮影を行う状況にはないため、シャッタチャンスを問題にすることなく、画素欠陥の位置情報を取得することができる。
【００５４】
また、デジタルカメラ１の電源をオフとしたときに、撮影、画素欠陥検出用画像の取得、画素欠陥位置検出および画素欠陥位置情報の記憶の処理を行ってもよい。この場合においても、撮影者は撮影を行う状況にはないため、シャッタチャンスを問題にすることなく、画素欠陥の位置情報を取得することができる。
【００５５】
次いで、本発明の第３の実施形態について説明する。なお、第３の実施形態においては、デジタルカメラ１の構成については第１の実施形態と同一であるため、ここでは詳細な説明は省略する。第３の実施形態においては、撮影レンズ１０の繰り出し動作中または収納動作中に、上記第２の実施形態と同様の画素欠陥検出用画像の取得等の処理を行うようにした点が第１の実施形態と異なる。
【００５６】
ここで、撮影レンズ１０の繰り出し動作は、撮影モードに切り替えられた状態で、デジタルカメラ１の電源をオフからオンとしたとき（以下第１のタイミングとする）、および電源をオンとした状態において再生モードから撮影モードに切り替えられたとき（以下第２のタイミングとする）に行われる。また、撮影レンズ１０の収納動作は、撮影モードに切り替えられた状態で、デジタルカメラ１の電源をオンからオフとしたとき（以下第３のタイミングとする）、および電源をオンとした状態において撮影モードから再生モードに切り替えられたとき（以下第４のタイミングとする）に行われる。
【００５７】
図６は第３の実施形態におけるタイミングチャートである。なお、図６において上記第１から第４のタイミングに対応する動作は、デジタルカメラ１の主動作１〜４に対応する。デジタルカメラ１の主動作１において、デジタルカメラ１の電源がオンとされると、不図示のレンズカバーが開かれ、撮影レンズ１０の繰り出し動作が行われる。一方、デジタルカメラ１の電源がオンとされると、図４に示すフローチャートの処理が行われる。すなわち、撮影、画素欠陥検出用画像の取得、画素欠陥位置検出および画素欠陥位置情報の記憶の処理が行われる。
【００５８】
また、デジタルカメラ１の主動作２において、デジタルカメラ１のモードが再生モードから撮影モードに切り替えられると、不図示のレンズカバーが開かれ、撮影レンズ１０の繰り出し動作が行われる。一方、デジタルカメラ１の電源がオンとされると、図４に示すフローチャートの処理が行われる。
【００５９】
デジタルカメラ１の主動作３において、撮影モードにてスルー画像が表示された状態において、デジタルカメラ１の電源がオフとされると、撮影レンズ１０の収納動作が行われ、不図示のレンズカバーが閉じられる。一方、デジタルカメラ１の電源がオフとされると、図４に示すフローチャートの処理が行われる。
【００６０】
また、デジタルカメラ１の主動作４において、撮影モードにてスルー画像が表示された状態において、デジタルカメラ１のモードが撮影モードから再生モードに切り替えられると、撮影レンズ１０の収納動作が行われ、不図示のレンズカバーが閉じられる。一方、デジタルカメラ１の電源がオフとされると、図４に示すフローチャートの処理が行われる。
【００６１】
なお、上記第１から第３の実施形態においては、とくにフラッシュ２４の充電、撮影レンズ１０の繰り出し、および画像の外部装置への転送が終了する前に、撮影、画素欠陥検出用画像の取得、画素欠陥位置検出および画素欠陥位置情報の記憶の処理を完了できない場合がある。以下このような場合の処理について、第４の実施形態として説明する。
【００６２】
図７は第４の実施形態において行われる処理を示すフローチャートである。なお、ここではフラッシュ２４の充電が行われる場合の処理について説明するが、撮影レンズ１０の繰り出し、画像の外部装置への転送についても同様に行うことができる。
【００６３】
フラッシュ２４充電の指示がなされることによりＣＰＵ４０が処理を開始し、撮像系６に撮影を行わせる（ステップＳＴ２１）。次いで、フラッシュ２４の充電が終了したか否かを判定し（ステップＳＴ２２）、ステップＳＴ２２が否定されると、ＣＰＵ４０が撮像系６に画素欠陥検出用画像を取得させる（ステップＳＴ２３）。ステップＳＴ２２が肯定されると、処理を終了する。
【００６４】
ステップＳＴ２３に続いて、フラッシュ２４の充電が終了したか否かを判定し（ステップＳＴ２４）、ステップＳＴ２４が否定されると、画素欠陥検出部３９が画素欠陥検出用画像から画素欠陥の位置を検出する（ステップＳＴ２５）。ステップＳＴ２４が肯定されると、処理を終了する。
【００６５】
ステップＳＴ２５に続いて、フラッシュ２４の充電が完了したか否かを判定し（ステップＳＴ２６）、ステップＳＴ２６が否定されると、画素欠陥検出部３９が検出結果である画素欠陥の位置情報を内部メモリ３６に記憶し（ステップＳＴ２７）、処理を終了する。ステップＳＴ２７が肯定されると、処理を終了する。
【００６６】
このように、第５の実施形態においては、所定の動作が終了するまでに画素欠陥検出用画像の取得、画素欠陥位置検出および画素欠陥位置情報の記憶の処理が完了しない場合は、画素欠陥検出用画像の取得、画素欠陥位置検出および画素欠陥位置情報の記憶の処理を停止するようにしたため、画素欠陥検出用画像の取得のためにユーザがシャッタチャンスを逃してしまうことを防止することができる。
【００６７】
以上、本発明の実施形態に係るデジタルカメラについて説明したが、コンピュータを、上記の画素欠陥検出部３９に対応する手段として機能させ、図３，４，７に示すような処理を行わせるプログラムも本発明の実施形態の１つである。また、そのようなプログラムを記録したコンピュータ読取り可能な記録媒体も、本発明の実施形態の１つである。
【図面の簡単な説明】
【００６８】
【図１】本発明の第１の実施形態による撮影装置を適用したデジタルカメラの構成を示す概略ブロック図
【図２】デジタルカメラが充電される状態を示す図
【図３】第１の実施形態において行われる処理を示すフローチャート
【図４】第２の実施形態において行われる処理を示すフローチャート
【図５】第２の実施形態において行われる処理のタイミングチャート
【図６】第３の実施形態において行われる処理のタイミングチャート
【図７】第４の実施形態において行われる処理を示すフローチャート
【符号の説明】
【００６９】
１      デジタルカメラ
２      操作系
３      操作系制御部
４      電源スイッチ
６      撮像系
１０    撮影レンズ
２４    フラッシュ
２８    モニタ
３５    記録メディア
３８    バッテリ
３９    画素欠陥検出部
４０    ＣＰＵ
【図１】
2008166913.tif 000003
【図２】
2008166913.tif 000004
【図３】
2008166913.tif 000005
【図４】
2008166913.tif 000006
【図５】
2008166913.tif 000007
【図６】
2008166913.tif 000008
【図７】
2008166913.tif 000009